(57)【要約】  【課題】  光が漏れにくい押釦スイッチ用部材を提供すること。  【解決手段】  押圧するためのキートップ５と、キートップ５の裏面側に設けられるシート部材６と、キートップ５とシート部材６との間に設けられ、シート部材６の裏面側からその表面側への光を遮光する第１の遮光層８と、を有し、シート部材６は、少なくとも第１の遮光層８と重なる領域に第２の遮光層１１を有する押釦スイッチ用部材２としている。【選択図】図３
2012038611.tif 000002
【特許請求の範囲】
【請求項１】
押圧するためのキートップと、
上記キートップの裏面側に設けられるシート部材と、
上記キートップと上記シート部材との間に設けられ、上記シート部材の裏面側からその表面側への光を遮光する第１の遮光層と、を有し、
上記シート部材は、少なくとも上記第１の遮光層と重なる領域に第２の遮光層を有することを特徴とする押釦スイッチ用部材。
【請求項２】
請求項１に記載の押釦スイッチ用部材であって、
操作面から見て、前記シート部材は、前記キートップの外周よりも少なくとも一部で大きいことを特徴とする押釦スイッチ用部材。
【請求項３】
請求項２に記載の押釦スイッチ用部材であって、
さらに、前記キートップの外周よりも大きい内周を有する開口部を内側に備える枠部を有し、
前記キートップは、上記開口部から操作面の方向に露出すると共に、
前記シート部材のうち前記キートップの外周よりも大きい部分と、上記枠部の上記開口部以外の領域とが、押圧方向で重なるように構成されていることを特徴とする押釦スイッチ用部材。
【請求項４】
請求項３に記載の押釦スイッチ用部材であって、
前記キートップを表面側に保持するベースシートと、
上記ベースシートの表面側または裏面側に配置される第３の遮光層と、をさらに有し、
前記シート部材のうち前記キートップの外周よりも大きい部分は、上記第３の遮光層と一部で押圧方向にて重なることを特徴とする押釦スイッチ用部材。
【請求項５】
押圧するためのキートップと、当該キートップの裏面側に設けられるシート部材と、上記キートップと上記シート部材との間に設けられ、上記シート部材の裏面側からその表面側への光を遮光する第１の遮光層とを有し、シート部材の少なくとも当該第１の遮光層と重なる領域に第２の遮光層を有する押釦スイッチ用部材の製造方法であって、
上記キートップに上記第１の遮光層を設ける遮光層形成ステップと、
上記キートップに上記第２の遮光層が設けられた上記シート部材を固着するシート部材固着ステップと、
を含むことを特徴とする押釦スイッチ用部材の製造方法。
【発明の詳細な説明】
【技術分野】
【０００１】
本発明は、押釦スイッチ用部材およびその製造方法に関する。
【背景技術】
【０００２】
従来から、携帯電話および携帯情報端末装置（ＰＤＡ）等の電子機器の操作部に押釦スイッチが用いられている。押釦スイッチにおいては、各押釦に割り当てられた機能を表示するために、ユーザが押圧するキートップに文字あるいは図形等が付されている場合がある。また、付された文字等を視覚的に際立つようにするために、文字や図形等を抜き文字として、その周囲に遮光層を配置することがある。かかる押釦スイッチでは、裏面側からキートップに光を照射することにより、文字や図形等が光って見える。（たとえば、特許文献１を参照）。
【先行技術文献】
【特許文献】
【０００３】
【特許文献１】特開２００６−６０３３４号公報
【発明の概要】
【発明が解決しようとする課題】
【０００４】
しかし、特許文献１に記載の押釦スイッチでは、強い光を照射した場合に、光の一部が遮光層を透過し、いわゆる光漏れが生じる場合がある。
【０００５】
そこで、本発明は、かかる問題を解消すべくなされたものであって、光が漏れにくい押釦スイッチ用部材およびその製造方法を提供することを目的とする。
【課題を解決するための手段】
【０００６】
上記目的を達成するために、本発明の押釦スイッチ用部材の一実施の形態は、押圧するためのキートップと、キートップの裏面側に設けられるシート部材と、キートップとシート部材との間に設けられ、シート部材の裏面側からその表面側への光を遮光する第１の遮光層と、を有し、シート部材は、少なくとも第１の遮光層と重なる領域に第２の遮光層を有する。
【０００７】
さらに、操作面から見て、シート部材、キートップの外周よりも少なくとも一部で大きいものであり得る。
【０００８】
さらに、キートップの外周よりも大きい内周を有する開口部を内側に備える枠部を有し、キートップは、開口部から操作面の方向に露出すると共に、シート部材のうちキートップの外周よりも大きい部分と、枠部の開口部以外の領域とが、押圧方向で重なるように構成され得る。
【０００９】
また、キートップを表面側に保持するベースシートと、ベースシートの表面側または裏面側に配置される第３の遮光層と、をさらに有し、シート部材のうちキートップの外周よりも大きい部分は、第３の遮光層と一部で押圧方向にて重なり得る。
【００１０】
また、本発明の押釦スイッチ用部材の製造方法の一実施の形態は、押圧するためのキートップと、キートップの裏面側に設けられるシート部材と、キートップとシート部材との間に設けられ、シート部材の裏面側からその表面側への光を遮光する第１の遮光層と、を有し、シート部材の少なくとも第１の遮光層と重なる領域に第２の遮光層を有する押釦スイッチ用部材の製造方法であって、キートップに第１の遮光層を設ける第１の遮光層形成ステップと、キートップに第２の遮光層が設けられたシート部材を固着するシート部材固着ステップと、を含む。
【発明の効果】
【００１１】
本発明によれば、光が漏れにくい押釦スイッチ用部材を提供できる。
【図面の簡単な説明】
【００１２】
【図１】本発明の実施の形態に係る押釦スイッチ用部材を備える携帯電話の正面図である。
【図２】図１に示す押釦スイッチ用部材をＡ−Ａ線で切断した断面図である。
【図３】図２の押釦スイッチ用部材についてｂで示す領域を示す拡大断面図である。
【図４】本発明の実施の形態に係る押釦スイッチ用部材の製造の概略的な流れを示すフローチャートである。
【図５】図４の押釦スイッチ用部材の各ステップにおける状態を図３と同様の領域にて示す断面図である。
【図６】本発明の変形例に係る押釦スイッチ用部材の図３と同様の領域における断面図である。
【図７】本発明の別の変形例に係る押釦スイッチ用部材の図３と同様の領域における断面図である。
【図８】本発明の別の変形例に係る押釦スイッチ用部材を、図１のＢ−Ｂ線で切断した場合の断面図である。
【発明を実施するための形態】
【００１３】
次に、本発明の実施の形態に係る押釦スイッチ用部材およびその製造方法について、図面を参照しながら説明する。
【００１４】
（押釦スイッチ用部材の構造）
図１は、本発明の実施の形態に係る押釦スイッチ用部材２を備える携帯電話１を操作面側から見た場合の正面図である。図２は、図１に示す押釦スイッチ用部材２のＡ−Ａ線断面図である。図３は、図２の押釦スイッチ用部材２についてｂで示す領域を示す拡大断面図である。なお、図２およびそれ以後の断面図では、見易さを考慮して、各部材の厚さの比率を実際の比率と変えて図示している。
【００１５】
図１に示すように、電子機器の一例である携帯電話１は、押釦スイッチ用部材２をその操作面に備える。なお、押釦スイッチ用部材２は、押圧操作によりＯＮ／ＯＦＦを切り替える押釦スイッチのために用いられるが、他の入力機器に用いられてもよいし、あるいはスイッチ機能を有さない装飾用パネルとして用いられてもよい。押釦スイッチ用部材２の操作面には、パネル３およびキートップ５が主に露出している。キートップ５の裏面にはシート部材６が固着され、シート部材６の裏面は、ベースシート７に固着されている。なお、以後、操作面側を表面側、操作面と逆の面側を裏面側という。また、表面と裏面との間の距離を厚さという。
【００１６】
枠体としてのパネル３には、キートップ５を操作面側へと突出させるための開口部４が複数設けられている。開口部４の表面側の内周は、キートップ５の外周よりも大きく、かつ、後述のフランジ部１０の外周よりも小さい。パネル３は、最終的に、携帯電話１の筺体の一部となってもよい。パネル３の材料としては、例えば、ポリエチレンテレフタレート、ポリカーボネート、ポリプロピレンあるいはポリブチレンテレフタレート等のポリマー、あるいはステンレス、アルミニウム、銅、チタニウム等の金属若しくは各種金属から成る合金を用いることができる。また、パネル３の裏面側には、開口部４の内周部分に、外周側へ凹むざぐり部４ａが設けられている。
【００１７】
キートップ５は、ユーザが押圧するための構成部である。キートップ５としては、所定の強度を備えた材料であれば特に限定なく使用でき、例えば、０．１〜３ｍｍ程度の板状の樹脂、ガラス、金属あるいはそれらのコンポジット等から主に構成できる。また、キートップ５の材料として透光性の材料を用いる場合には、キートップ５の裏面側から照光したときに、キートップ５を光らせることができる。なお、本明細書において、「透光性」とは、一方向から光を照射した際の全光線透過率が３０％以上、好ましくは８０％以上である状態を指すものとする。一方、「遮光性」とは、一方向から光を照射した際の全光線透過率が３０％以下である状態を指すものとする。キートップ５を構成するための透光性の樹脂としては、ポリカーボネート樹脂、アクリル樹脂、アクリロニトリル・ブタジエン・スチレン樹脂、ポリプロピレン樹脂、塩化ビニル樹脂、ポリスチレン樹脂、メタクリル樹脂、ポリスルホン樹脂、ポリエステル樹脂あるいはポリアミド樹脂等の各樹脂を使用でき、特に好ましい樹脂は、ポリカーボネート樹脂あるいはアクリル樹脂である。また、樹脂ではなく、ガラス等の透明な材料により、キートップ５が形成されていてもよい。
【００１８】
キートップ５の裏面側の少なくとも一部は、第１の遮光層８を備える。第１の遮光層８は、キートップ５の裏面側から照光した場合に、第１の遮光層８が設けられた領域から光が漏れないように遮光する層である。第１の遮光層８は、全光線透過率が３０％以下であるのが好ましく、さらに好ましくは、全光線透過率が１０％以下である。第１の遮光層８は、遮光性のインク、例えば黒色のインクを用いた印刷により、約１〜３０μｍの厚さにて形成できる。第１の遮光層８は、キートップ５の裏面側全面に設けられていてもよいし、キートップ５の裏面の一部に設けられていてもよい。キートップ５の裏面であって、第１の遮光層８が設けられていない領域を「透光部９」という。本実施の形態では、キートップ５の表面側から視認される文字あるいは図等を透光部９にて形成している。したがって、キートップ５の裏面側から表面側に向かって光が照射されると、文字あるいは図等を形成する透光部９のみから光が出射するため、文字あるいは図等が光って見える。この結果、文字あるいは図等が視認されやすくなる他、暗所でも文字等の形状を容易に視認できる。なお、第１の遮光層８は、キートップ５の裏面側ではなく、キートップ５の表面側あるいは、キートップ５の内部に設けられていてもよい。
【００１９】
シート部材６は、キートップ５の裏面側に固着される部材である。なお、シート部材６は、透光性の材料から構成され、裏面側、表面側あるいはその両方に第２の遮光層１１を有する。たとえば、シート部材６としては、厚さ０．１〜０．５ｍｍの透光性の樹脂製シートを好適に用いることができる。また、シート部材６は、キートップ５との固着が容易な部材であるのがより好ましい。たとえば、シート部材６としては、ポリカーボネート製のシートを好適に用いることができる。また、シート部材６は、第２の遮光層１１を、少なくとも第１の遮光層８の一部と押圧方向で重なる領域に有している。また、第２の遮光層１１は、第１の遮光層８の全部と押圧方向で重なる領域に設けられているのがより好ましく、さらに好ましくは、第１の遮光層８と押圧方向で重なる領域と略同一の領域にのみ設けられている。第２の遮光層１１は、第１の遮光層８と同様に、遮光性のインクにより印刷にてシート部材６に設けることができる。また、第２の遮光層１１は、全光線透過率が１０％以下であるのが好ましく、さらに好ましくは、全光線透過率が５％以下である。したがって、シート部材６の裏面側から光を照射すると、光は、第２の遮光層１１および第１の遮光層８の両方で遮蔽される。したがって、裏面側から照射された光は、文字あるいは図等の形状に設けられた透光部９以外から漏れにくい。
【００２０】
また、シート部材６は、操作面から見た場合に、キートップ５の外周よりも少なくとも一部で外周側に突出している。以後、シート部材６のうち、キートップ５の外周よりも外側にある部分をフランジ部１０という。フランジ部１０は、パネル３のざぐり部４ａの天面に引掛かる大きさで形成されている。このため、キートップ５が開口部４から表面側へ飛び出す（あるいは脱落する）のを防止できる。また、フランジ部１０により当該脱落防止を実現するためには、シート部材６がある程度の硬度を有していればよく、たとえば、ポリカーボネート、アクリルあるいはポリエチレンテレフタレートから主に成るシート部材６を用いることができる。
【００２１】
ベースシート７は、シート部材６を介して、配列された複数のキートップ５を所定の位置に固定および配列するために用いられる。また、ベースシート７は、キートップ５の部分が表面側から押圧された場合に、その下方に設けられたスイッチ部材（不図示）等を押し込むことができると共に、キートップ５の押圧が解除されると元の位置に復帰できるように、柔軟な弾性材料から構成されるのが好ましい。そのようなベースシート７の材料としては、たとえば、シリコーンゴム、ウレタンゴム、イソプレンゴム、エチレンプロピレンゴム、天然ゴム、エチレンプロピレンジエンゴムあるいはスチレンブタジエンゴム等の熱硬化性エラストマー、ウレタン系、エステル系、スチレン系、オレフィン系、ブタジエン系あるいはフッ素系等の熱可塑性エラストマー、あるいはそれらの複合物等を用いることができる。それらの材料の中でも、耐久性が高いウレタン系エラストマー、シリコーンゴムあるいはそれらの複合材を用いるのが好ましい。
【００２２】
ベースシート７の裏面側には、キートップ５と重なる位置に、押圧子１２が形成されていてもよい。押圧子１２は、ベースシート７から裏面方向に向かって突出する部分である。押圧子１２は、ベースシート７と一体として形成され、ベースシート７の一部として構成されていてもよい。また、押圧子１２は、ベースシート７とは別部材から構成され、ベースシート７に固着されるような形態であってもよい。押圧子１２は、裏面側からの光を透過できるように、透光性であるのが好ましい。また、ベースシート７の表面側には、キートップ５と重なる位置に、台座部１３が形成されていてもよい。台座部１３は、フィルム５を介してキートップ５と固着される部分である。
【００２３】
シート部材６とベースシート７、あるいはキートップ５とシート部材６は、これらを固着することができれば、どのような方法で固着されてもよい。たとえば、融着により固着してもよいし、接着剤または両面テープ等を介して固着されてもよい。または、ホットメルトテープ、シアノアクリレート系樹脂、ウレタン系樹脂、シリコーン系樹脂若しくは加熱した際の軟化点が低い樹脂等から成る層により固着されてもよい。たとえば、第１の遮光層８または第２の遮光層１１を構成するインクによりキートップ５とシート部材６とを固着してもよい。あるいは、第２の遮光層１１を構成するインクにより、シート部材６とベースシート７とを固着してもよい。また、それらを固着する際には、互いに接触する面の全面で固着されてもよいし、互いに接触する面の内、一部のみで固着されてもよい。たとえば、接着面に接着剤をドット状に配置してもよい。
【００２４】
上述のような押釦スイッチ用部材２を構成することにより、遮光を所望する領域（第１の遮光層８および第２の遮光層１１が配置された領域）から光が漏れにくくなる。結果として、透光部９から出射する光を際立たせることができる。なぜなら、裏面側から光を照射した場合に、第１の遮光層８だけではなく、第１の遮光層８および第２の遮光層１１の両方で遮光できるからである。特に、第１の遮光層８が金属を主に含む場合、第１の遮光層８が電波を遮ることがないように第１の遮光層８を薄くするため十分に遮光できない。しかし、第１の遮光層８が十分に遮光できなくても、第２の遮光層１１が設けられているため、確実に遮光できる。また、１層の遮光層のみで十分な遮光を行うためには、形成する遮光層を厚く形成しなければならず、厚さムラが生じやすい。しかし、本実施の形態では、第１の遮光層８および第２の遮光層１１をそれぞれ薄く均一の厚さに形成できる。
【００２５】
シート部材６がフランジ部１０を有する場合には、キートップ５自体がフランジを有するような形状にキートップ５を成型する場合よりも、フランジ部１０を薄く形成できる。なぜなら、キートップ５と一体の薄いフランジ部分を成型する場合には、成型用樹脂の流動性等から、その厚さを薄くするのは難しいからである。特に、フランジ部分の厚さを０．３ｍｍ以下とすることは、難しい。しかし、フランジ部分を有さないキートップ５に、シート部材６を固着してフランジ部１０を形成する場合には、シート部材６の厚さを選択するだけで、薄いフランジ部１０を設けることができる。特に、０．３ｍｍ以下の厚みを有するシート部材６を採用した場合には、フランジ部分を有する形状にキートップ５を成型した場合よりもフランジ部１０を薄くできる。フランジ部１０が薄くなることで、ざぐり部４ａの押圧方向の高さも小さくできるため、押圧スイッチ用部材２を薄型化できる。さらに、フランジ部１０が薄くなることで、ざぐり部４ａの厚さ方向を小さくできるため、パネル３の強度低下が小さくなる。また、フランジ部１０が薄型化することで、キートップ５の押圧方向への変位を大きくできるため、クリック感が向上する。
【００２６】
シート部材６によりフランジ部１０を形成する場合に、フランジ部１０に第２の遮光層１１が設けてある場合には、キートップ５の外周から光が表面に漏れるのを防止できる。なぜなら、フランジ部１０により裏面からの光が遮られるからである。かかる場合には、パネル３とフランジ部１０とが押圧方向で重なる（図３のαで示す領域）ように構成されるのがより好ましい。パネル３とフランジ部１０とが押圧方向で重なる場合には、裏面側からの光を二重で遮光できるからである。また、第２の遮光層１１を設けることで、第１の遮光層８の端面から光が表面側に漏れにくくなる。
【００２７】
（押釦スイッチ用部材の製造方法）
次に、押釦スイッチ用部材２の製造方法について説明する。図４は、押釦スイッチ用部材２の製造の概略的な流れを示すフローチャートである。図５は、図４の各工程における押釦スイッチ用部材２の状態を図３と同様の領域で示す断面図である。
【００２８】
まず、図５の（Ａ）に示すように、キートップ５に第１の遮光層８を設ける（ステップＳ１０１：遮光層形成ステップ）。なお、第１の遮光層８は、透光部９以外の領域に形成されるのが好ましい。しかし、第１の遮光層８をキートップ５の裏面全面に形成した後で、透光部９の領域に設けられた第１の遮光層８をレーザ加工やエッチング等により除去してもよい。
【００２９】
次に、図５の（Ｂ）に示すように、キートップ５の裏面側に、第２の遮光層１１を予め形成したシート部材６を固着する（ステップＳ１０２：シート部材固着ステップ）。次に、図５の（Ｃ）に示すように、シート部材６の裏面側に、予め成型したベースシート７を固着する（ステップＳ１０３）。最後に、図５の（Ｄ）に示すように、パネル３を所定の位置に配置する。
【００３０】
上述のような方法で押釦スイッチ用部材２を製造することにより、遮光を所望する領域（第１の遮光層８および第２の遮光層１１が配置された領域）から光が漏れにくくなる。なぜなら、裏面側から光を照射した場合に、第１の遮光層８だけではなく、第１の遮光層８および第２の遮光層１１の両方で光を遮光できるからである。また、第１の遮光層８あるいは第２の遮光層１１を厚く構成しなくてよいため、簡単に形成できることに加えて、第１の遮光層８または第２の遮光層１１の厚さを制御しやすい。
【００３１】
以上、本発明の押釦スイッチ用部材２およびその製造方法を説明したが、本発明は、上述の実施の形態に限定されることなく、種々変形を施して実施可能である。
【００３２】
たとえば、上述の実施の形態では、操作面から見てキートップ５の外周よりも外側にシート部材６が突出するものとしているが、このような形態に限らない。シート部材６は、キートップ５の裏面と略同一の面積を有していなくてもよい。
【００３３】
図６は、本実施の形態の変形例に係る押釦スイッチ用部材２ａを図３と同様に示す断面図である。
【００３４】
図６に示すように、押釦スイッチ用部材２ａに備えるシート部材６ａは、シート部材６と異なりキートップ５の外周と略同一の外周を有する。押釦スイッチ用部材２ａでは、裏面側から照光した場合に、キートップ５の外周部分から光を出射できる。すなわち、キートップ５の外周を光らせることができる。
【００３５】
図７は、別の変形例に係る押釦スイッチ用部材２ｂを図３と同様の断面について示す断面図である。
【００３６】
図７に示すように、キートップ５ａは、シート部材６により形成されるフランジ部１０とは別に、キートップ５ａがフランジを有していてもよい。キートップ５ａがフランジを有する場合には、キートップ５ａと一体として設けられたフランジと、シート部材６ａによるフランジ部１０との両方で裏面からの光を遮蔽できる。したがって、裏面からの光を確実に遮蔽できる。
【００３７】
また、押釦スイッチ用部材２ｂでは、パネル３とベースシート７との間に第３の遮光層１５が配置されている。具体的には、別途の第３の遮光層１５は、フランジ部１０と押圧方向で重なる（図７のβで示す領域）ように配置されている。第３の遮光層１５は、遮光性の層で、たとえば、遮光性のシート状部材あるいは遮光性のインク層等から形成される。かかる場合には、裏面側から照光すると、キートップ５とパネル３との間から光が操作面側に出射するのを防ぐことができる。フランジ部１０および第３の遮光層１５の両方により、裏面側からの光を遮光できるからである。また、第３の遮光層１５は、全光線透過率が１０％以下であるのが好ましく、さらに好ましくは、全光線透過率が５％以下である。なお、第３の遮光層１５は、フランジ部１０よりも表面側に配置されてもよい。
【００３８】
図８は、別の変形例に係る押釦スイッチ用部材２ｃを図１のＢ−Ｂ線で切断した場合の断面図である。
【００３９】
図８に示すように、第１の遮光層８を有する別のキートップ５が、間隙ｔを隔てて隣接する場合に、フランジ部１０と、隣接するキートップ５が有する第１の遮光層８とは、押圧方向で重なるのが好ましい。また、第３の遮光層１５は、フランジ部１０と押圧方向で重なる（図８のγで示す領域）ように配置されているのが好ましい。かかる場合には、フランジ部１０と第３の遮光層１５との両方により、キートップ５とパネル３ａとの間隙ｔから表面側に出射しようとする光を確実に遮断できる。なお、図８では、操作面から見た形状が環状のキートップ５は、第１の遮光層８のみを有するものとしているが、第１の遮光層８と第２の遮光層１１とを両方有していてもよいし、第２の遮光層１１のみを有していてもよい。
【００４０】
なお、上述の実施の形態では、ベースシート７は、押圧子１２および台座部１３を備えているが、これらは、必須ではない。ベースシート７は、平滑な部材であってもよい。さらに、ベースシート７は、必須ではない。キートップ５として、複数のキートップ５が連接されているようなキーシートを用いる場合には、ベースシート７がなくてもよい。
【００４１】
また、上述の実施の形態では、透光性のキートップ５，５ａを用いているが、このような形態に限らない。キートップ５，５ａは、透光性でなくてもよく、たとえば、半透光性あるいは遮光性の材料から構成され、貫通孔を有するキートップとしてもよい。かかる場合には、裏面側から照光すると、貫通孔の内部が光って見える。遮光性の材料から構成される場合には、キートップ５，５ａは、金属、樹脂、ガラス、セラミックスあるいはそれらのコンポジット等から主に形成されてもよい。
【００４２】
また、上述の実施の形態では、透光性のシート部材６，６ａに第２の遮光層１１を設けたものを用いているが、このような形態に限らない。シート部材６，６ａは、遮光性の部材から構成されてもよい。かかる場合には、シート部材６，６ａのうち、透光部９と重なる領域のシート部材６，６ａを除去し、いわゆる抜き文字としてもよい。
【００４３】
また、上述の各実施の形態では、第１の遮光層８および第２の遮光層１１を設ける押釦スイッチ用部材２，２ａ，２ｂ，２ｃとしたが、第１の遮光層８および第２の遮光層１１以外の遮光層が形成されていてもよい。たとえば、シート部材６，６ａの両面に他の遮光層が設けられていてもよいし、キートップ５，５ａの両面に遮光層が設けられていてもよい。あるいは、ベースシート７に遮光層が設けられていてもよい。また、第１の遮光層８、第２の遮光層１１あるいはその他の遮光層は、印刷以外の手法により形成されてもよい。しかし、印刷により第１の遮光層８および第２の遮光層１１が形成される場合には、位置合わせ等が容易であるため好ましい。
【００４４】
また、上述の実施の形態では、ステップＳ１０１においてキートップ５の裏面に第１の遮光層８を設けるものとしたが、このような形態に限らない。たとえば、表面に第１の遮光層８が、裏面に第２の遮光層１１が設けられたシート部材６，６ａを用いてもよい。かかる場合には、キートップ５，５ａに第１の遮光層８を設けなくてもよい。
【００４５】
また、上述の実施の形態では、透光部９には、印刷層が形成されていないが、透光性あるいは半透光性の層を形成してもよい。たとえば、全光線透過率が６０％の赤色のインクを透光部９に配置することで、押釦スイッチ用部材２の裏面から照光した場合に、透光部９を赤色に光らせることができる。
【産業上の利用可能性】
【００４６】
本発明は、たとえば、各種電子機器の入力装置としての押釦スイッチ等に利用することができる。
【符号の説明】
【００４７】
２，２ａ，２ｂ，２ｃ      押釦スイッチ用部材
３，３ａ      パネル（枠部）
４            開口部
５，５ａ      キートップ
６，６ａ      シート部材
７            ベースシート
８            第１の遮光層
１０          フランジ部（シート部材の一部）
１１          第２の遮光層
１５          第３の遮光層
【図１】
2012038611.tif 000003
【図２】
2012038611.tif 000004
【図３】
2012038611.tif 000005
【図４】
2012038611.tif 000006
【図５】
2012038611.tif 000007
【図６】
2012038611.tif 000008
【図７】
2012038611.tif 000009
【図８】
2012038611.tif 000010